(57)【要約】【課題】多数が積層された二重層ツイル布を利用し、それらの間に塗料層を塗って、高温熱圧着方式により二重層ツイル布に塗料層を接着することにより、先が尖った物が刺さることを防ぐ防刃パッドを提供する。【解決手段】  防刃パッドは、二重層ツイル布１及び塗料層２を備える。二重層ツイル布１は、織物を緯糸で織って形成され、二重層ツイル布１を交互に重ねて二重層ツイル布１間に塗料層２が塗布される。塗料層２は、二重層ツイル布１間に塗布されて二重層ツイル布１間を互いに接着させる。二重層ツイル布１は、使用する場所の危険性に応じて増減させる。二重層ツイル布１と塗料層２とを高温熱圧着方式により迅速に接着させる。【選択図】図１
0003173854.tif 000002
【実用新案登録請求の範囲】
【請求項１】
二重層ツイル布及び塗料層を備えた防刃パッドであって、
前記二重層ツイル布は、織物を緯糸で織って形成され、前記二重層ツイル布を交互に重ねて前記二重層ツイル布間に前記塗料層が塗布され、
前記塗料層は、前記二重層ツイル布間に塗布されて前記二重層ツイル布を互いに接着させてなることを特徴とする防刃パッド。
【請求項２】
前記二重層ツイル布は、前記防布パッドの使用する場所の危険性に応じて増減させてなることを特徴とする請求項１に記載の防刃パッド。
【請求項３】
前記二重層ツイル布と前記塗料層とを高温熱圧着方式により迅速に接着させてなることを特徴とする請求項１に記載の防刃パッド。
【考案の詳細な説明】
【技術分野】
【０００１】
本考案は、防刃パッドに関するものであって、さらに詳しくは、二重層ツイル布（ｄｏｕｂｌｅ−ｌａｙｅｒ  ｔｗｉｌｌ）と塗料層とを結合させてなる層状体であり、刃物など先端の尖った突刺物が刺さることを防止することが可能な防刃パッドに関するものである。
【背景技術】
【０００２】
従来の布製パッドは、防刃パッドの設計上、材料の特性だけを利用して防刃効果を得ることが一般的であるが、防刃効果を有する布材は一般の布材より高価である上、防刃効果が高い物質を布材に添加した場合、省エネ・環境保全に反することがある。そのため、従来からこれら従来技術の問題点を解消し、安全性に優れた防刃パッドが求められてきた。
【０００３】
防刃材としては、特開２０１１−１０２０２５号（以下、「特許文献１」という。）には、金属素材の繊維を使用した第１の織物と第２の織物とを強固に接着した複合体が記載されている。また、特開平１０−８９８９８号公報（以下、「特許文献２」という。）には、芳香族アミド系繊維の複合体が記載されている。さらに、特開２００６−３２５４５６号公報（以下、「特許文献３」という。）には、性質の異なる経糸と緯糸を用いて綾織り組織で織成した織布層が記載されている。
【０００４】
しかし、従来の提案によれば、重量が大きく、金属繊維を要するなど、使用後の処分に問題が生じ、未だ、改良すべき点が残されている。また、前記の綾織の織布については防刃材として使用する点については開示されていない。
【特許文献１】特開２０１１−１０２０２５号公報
【特許文献２】特開平１０−８９８９８号公報
【特許文献３】特開２００６−３２５４５６号公報
【考案の概要】
【考案が解決しようとする課題】
【０００５】
従って、本考案の課題は、先端が突刺性の形状を有する刃物類に対しても防刃効果に優れた布製パッドを提供することにある。
【課題を解決するための手段】
【０００６】
そこで、本考案者は、前記の本考案の課題を解決するために鋭意検討を重ねた結果、数層が積層された二重層ツイル布を利用し、それらの間に塗料層を塗り、高温熱圧着方式により二重層ツイル布に塗料層を接着させることにより、前記課題を解決できることに着目し、本願考案に想到した。
【０００７】
かくして、本考案によれば、二重層ツイル布及び塗料層を備えた防刃パッドであって、
前記二重層ツイル布は、織物を緯糸で織って形成され、前記二重層ツイル布を交互に重ねて前記二重層ツイル布間に前記塗料層が塗布され、
前記塗料層は、前記二重層ツイル布間に塗布されて前記二重層ツイル布を互いに接着させることを特徴とする防刃パッド
が提供される。
【０００８】
前記二重層ツイル布は、前記防刃パッドの使用する場所の危険性に応じて前記防刃パッド中において増減させることが好ましい。
【０００９】
前記二重層ツイル布と前記塗料層とを高温熱圧着方式により迅速に接着させることが好ましい。
【００１０】
本考案に係る防刃パッドの構成要素のツイル布は、その綾織組織で織成したものであり、綾目のある織物で、かっちりした組織であり平滑性を有することが特徴とされている。特に、四つ綾（３／１）織、または、織物を二層化した綾織が好ましく、本明細書において、二重層ツイル布ｄｏｕｂｌｅ−ｌａｙｅｒ  ｔｗｉｌｌと称している。ツイル布は、通常、衣服の裏地に用いられるが、本考案によれば、防刃パッドの主要素として用いられるものであり、後述のように、塗料層との複合体が奏する顕著な効果に着目したものである。
【考案の効果】
【００１１】
本考案は、前記の通りの構成からなり、軽量で弾力性を有するにも拘らず、刃物の先端等の刃部が接触しても、突刺に対し抵抗力を有し刃物に対して十分な防刃効果を奏することができる。
【図面の簡単な説明】
【００１２】
【図１】本考案の一実施形態による防刃パッドの二重層ツイル布と塗料層とを重ねた状態を示す分解斜視図である。
【図２】本考案の一実施形態による防刃パッドの二重層ツイル布と塗料層とを重ねた状態を示す断面図である。
【図３】本考案の一実施形態による防刃パッドに刃物が刺さったときの状態を示す断面図である。
【考案を実施するための形態】
【００１３】
以下、本考案の実施形態について図面に基づいて説明する。なお、これによって本考案が限定されるものではない。
【００１４】
図１を参照する。図１に示すように、本考案の一実施形態による防刃パッドは、少なくとも二重層ツイル布１及び塗料層２から構成される。
【００１５】
二重層ツイル布１は、織物（ｙａｒｎ）を緯糸（ｗｅｆｔ）で織って形成され、多数の二重層ツイル布１を交互に重ねて形成する。交互に重ねられた二重層ツイル布１間には、塗料層２が塗布されている。
【００１６】
塗料層２は、二重層ツイル布１間に塗布し、二重層ツイル布１間を互いに接着させるために用いる。
【００１７】
図２を参照する。図２に示すように、本実施形態の防刃パッドは、まず、二重層ツイル布１を互いに積層させ、各二重層ツイル布１間に塗布により形成した１層の塗料層２により、二重層ツイル布１と塗料層２とを接着させるとともに、高温熱圧着方式により二重層ツイル布１の密着度を高める。これにより、ナイフなどの先端が尖った物品に対し、二重層ツイル布１が有する可撓性によりパッドに刺さることを防ぐことができる。
【００１８】
また、積層された二重層ツイル布１を使用場所の危険性に応じて増減させることにより、防刃効果が高いパッドを得て、使用する際の安全性を高めることもできる。高温熱圧着方式は、特に限定されるものではなく、前記接着が十分に行うことができれば、通常、採用されている方法を任意に選択することができる。また、塗料についても接着性を有するものであれば、公知のものでよく限定されるものではない。
【００１９】
本実施形態の防刃パッドを実際に使用する際は、上述の互いに接着した多数の二重層ツイル布１をパッド又は衣類へ適用し、靴の中で使用するインソール（ｉｎｓｏｌｅ）や防刃効果を有する衣類、民生品、公共物などに設置することにより、様々な用途に応じて結合させ、多数層がすでに接着された二重層ツイル布１が、ナイフなど先端が尖った物に当たったときに（図３参照）、二重層ツイル布１内の織物及び緯糸により、ナイフなどが深く刺さることを防ぐことができる。
【００２０】
上述したことから分かるように、本考案の防刃パッドは、二重層ツイル布間を互いに積層させるとともに、各二重層ツイル布間に塗料層を塗布して隔絶機能を得るパッドを形成する。パッドは、靴のインソールや防護服などに広く適用させて防刃機能を得て、便利に使用することができる上、製造コストが安価で、使用機能を有効に向上させることができ実用的であり、自然環境を汚染させることもない。
【００２１】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  二重層ツイル布
２  塗料層
【図１】
0003173854.tif 000003
【図２】
0003173854.tif 000004
【図３】
0003173854.tif 000005